(57)【要約】【課題】爪の手入れ以外の時でも所有者に利用機会を与えることができる爪の手入れ器具を提供する。【解決手段】爪の手入れ器具１は、平板状の本体１Ａと、シート状の第１のシール部材５とを備える。本体１Ａは、印刷して形成された第１の印刷層４Ａを有する。第１のシール部材５は、透明な第１の台体５Ａと、第１の台体５Ａに着脱可能に取付けられた第１のシール体５Ｂとを有する。第１のシール部材５は、第１の印刷層４Ａに着脱可能に取付けられる。第１のシール体５Ｂの形状は、第１の印刷層４Ａの印刷された絵柄と関連する形状である。【選択図】図１
2014144184.tif 000002
【特許請求の範囲】
【請求項１】
基体と、
該基体の少なくとも一方の側に形成されると共に、研磨粒子を含むバッファ層と、
該バッファ層の、前記基体に面した側とは反対側に印刷して形成された印刷層と、
該印刷層に着脱可能に取付けられると共に、光透過性の台体、および同台体に着脱可能に取付けられたシール体を有するシール部材とを備える
爪の手入れ器具。
【請求項２】
前記シール体の形状は、前記印刷層の印刷された絵柄もしくは文字に関連する形状である
請求項１に記載の爪の手入れ器具。
【請求項３】
前記基体の一方の側には、２０〜８０μｍの粒径を有する第１の研磨粒子を含む第１のバッファ層が形成され、
前記基体の他方の側には、１〜１０μｍの粒径を有する第２の研磨粒子を含む第２のバッファ層が形成された
請求項１または請求項２に記載の爪の手入れ器具。
【請求項４】
前記印刷層は、０．８〜２０ｍｍ２／ｓの動粘度を有するインクを用いて、０．００５〜１ｍｍのノズル直径を有するインクジェットプリンタで印刷して形成された
請求項１〜３のいずれか１つに記載の爪の手入れ器具。
【請求項５】
基体と、
該基体の少なくとも一方の側に形成されると共に、研磨粒子を含むバッファ層と、
台体、および同台体に着脱可能に取付けられたシール体を有するシール部材とを備える
爪の手入れ器具。
【発明の詳細な説明】
【技術分野】
【０００１】
本発明は爪の手入れ器具に関する。詳しくは、爪を研磨したり、爪の艶を出したりするときに用いられる爪の手入れ器具に係るものである。
【背景技術】
【０００２】
爪の表面を美しくするために、エナメル液を爪の表面に塗布する方法がある。
【０００３】
また、エナメル液は、ニトロセルロースを、酢酸エチル、酢酸ブチル、メチルエチルケトン、トルエン、キシレンなどの溶剤で溶解して得られた液であるので、爪の表面に塗布されたエナメル液を除去する除去液も、必然的にこれら溶剤を主成分とする。
【０００４】
しかし、このような溶剤を含むエナメル液や除去液の使用頻度が高くなると、爪を構成する主要たんぱくの角質またはケラチンが酸化されやすくなり、結果的に爪が脆弱になったり、変色しやすくなったりして、爪の健康上、好ましくなかった。
【０００５】
そこで、このようなエナメル液を使用しない乾式方法が提案されており、例えば、特許文献１には、図４に示すような爪の手入れ器具が記載されている。
【０００６】
すなわち、特許文献１に記載された爪の手入れ器具は、芯材１１０と、芯材１１０の両面に付着された発砲ポリウレタン等からなる接触部材（１２０Ａ、１２０Ｂ）と、接着部を介して接触部材（１２０Ａ、１２０Ｂ）上に付着された研磨部１４０と、研磨部１４０上に形成された印刷部１６０とを備える。また、研磨部１４０は、異なる粒径を有する研磨材からなる副研磨部（１４１、１４３）からなる。
【先行技術文献】
【特許文献】
【０００７】
【特許文献１】特開２０１０−１５５９８８号公報
【発明の概要】
【発明が解決しようとする課題】
【０００８】
ところで、特許文献１に記載された爪の手入れ器具は、爪の手入れ以外の時は特に利用される機会がなく、引き出しの中などにしまわれている。場合によってはそのまま忘れ去られ、所有者は、無駄に買い足してしまうこともあった。
【０００９】
本発明は、以上の点に鑑みて創案されたものであり、爪の手入れ以外の時でも所有者に利用機会を与えることができる爪の手入れ器具を提供することを目的とする。
【課題を解決するための手段】
【００１０】
上記の目的を達成するために、本発明の爪の手入れ器具は、基体と、該基体の少なくとも一方の側に形成されると共に、研磨粒子を含むバッファ層と、該バッファ層の、前記基体に面した側とは反対側に印刷して形成された印刷層と、該印刷層に着脱可能に取付けられると共に、光透過性の台体、および同台体に着脱可能に取付けられたシール体を有するシール部材とを備える。
【００１１】
ここで、印刷層に着脱可能に取付けられると共に、光透過性の台体、および台体に着脱可能に取付けられたシール体を有するシール部材によって、シール部材を印刷層と重ね、光透過性の台体を通して印刷層の印刷された絵柄もしくは文字を見ることができるので、印刷層の印刷された絵柄もしくは文字と、シール体とを同時に見て楽しむことができる。
【００１２】
また、シール体を台体から外して、印刷層に貼り付けたり、爪に貼り付けたり、自由に遊ぶこともできる。
【００１３】
また、本発明の爪の手入れ器具において、シール体の形状が、印刷層の印刷された絵柄もしくは文字に関連する形状である場合、より一層、楽しむことができる。
【００１４】
また、本発明の爪の手入れ器具において、基体の一方の側には、２０〜８０μｍの粒径を有する第１の研磨粒子を含む第１のバッファ層が形成され、基体の他方の側には、１〜１０μｍの粒径を有する第２の研磨粒子を含む第２のバッファ層が形成されたものとすることができる。
【００１５】
この場合、第１のバッファ層を用いて爪を削り、第２のバッファ層を用いて爪を磨くことができるので、多様な爪の手入れを実施できる。
【００１６】
また、本発明の爪の手入れ器具において、印刷層は、０．８〜２０ｍｍ２／ｓの動粘度を有するインクを用いて、０．００５〜１ｍｍのノズル直径を有するインクジェットプリンタで印刷して形成されたものとすることができる。
【００１７】
この場合、０．８〜２０ｍｍ２／ｓの動粘度を有するインクを用いるので、インクジェットプリンタのノズル直径を０．００５〜１ｍｍに設定することができる。
また、ノズル直径が０．００５〜１ｍｍなので、１滴のインクの体積が小さく、インクが他の層に浸透しやすい。
【００１８】
また、上記の目的を達成するために、本発明の爪の手入れ器具は、基体と、該基体の少なくとも一方の側に形成されると共に、研磨粒子を含むバッファ層と、台体、および同台体に着脱可能に取付けられたシール体を有するシール部材とを備える。
【００１９】
ここで、台体、および台体に着脱可能に取付けられたシール体を有するシール部材によって、シール体を台体から外して、印刷層に貼り付けたり、爪に貼り付けたり、自由に遊ぶことができる。
【発明の効果】
【００２０】
本発明に係る爪の手入れ器具は、爪の手入れ以外の時でも所有者に利用機会を与えることができる。
【図面の簡単な説明】
【００２１】
【図１】本発明を適用した爪の手入れ器具のシール部材を本体の印刷層に乗せる前の状態の一例を示す概略図（ａ）と、乗せた状態の一例を示す概略図（ｂ）である。
【図２】図１に示した本体の反対側の印刷層に、図１に示したシール部材と異なるシール部材を乗せる前の状態の一例を示す概略図（ａ）と、乗せた状態の一例を示す概略図（ｂ）である。
【図３】図１に示した本発明を適用した爪の手入れ器具の本体の概略分解断面図である。
【図４】従来の爪の手入れ器具を示す概略図である。
【発明を実施するための形態】
【００２２】
以下、本発明の実施の形態について図面を参照しながら説明し、本発明の理解に供する。
【００２３】
図１は、本発明を適用した爪の手入れ器具のシール部材を本体の印刷層に乗せる前の状態の一例を示す概略図（ａ）と、乗せた状態の一例を示す概略図（ｂ）である。
また、図２は、図１に示した本体の反対側の印刷層に、図１に示したシール部材と異なるシール部材を乗せる前の状態の一例を示す概略図（ａ）と、乗せた状態の一例を示す概略図（ｂ）である。
また、図３は、図１に示した本発明を適用した爪の手入れ器具の本体の概略分解断面図である。
【００２４】
図１および図２に示す本発明の爪の手入れ器具１は、平板状の本体１Ａと、シート状の第１のシール部材５と、シート状の第２のシール部材６とを備える。
【００２５】
また、図３に示すように、本体１Ａは、基体２を有する。基体２は、発泡ポリウレタン（ポリウレタンフォーム）、発泡ポリエチレン（ポリエチレンフォーム）、エチレン酢酸ビニルコポリマー（ＥＶＡ）、ポリスチレンなどの合成樹脂で構成されている。
また、基体２は、ある程度の柔軟性を有する。
【００２６】
また、本体１Ａは、基体２の両方の面にそれぞれ接着剤で固着されると共に、研磨粒子を含むバッファ層３を有する。
【００２７】
ここで、基体２の一方の面には、２０〜８０μｍの粒径を有する第１の研磨粒子を含む第１のバッファ層３Ａが固着され、基体２の他方の面には、１〜１０μｍの粒径を有する第２の研磨粒子を含む第２のバッファ層３Ｂが固着されている。
【００２８】
また、バッファ層３（第１のバッファ層３Ａと第２のバッファ層３Ｂ）に含まれる研磨粒子は、例えば、酸化アルミニウム（アルミナ）、酸化クロム、酸化セリウム、カーボン
ランダム、珪藻土、ダイヤモンド、セラミック類、炭化ケイ素である。
【００２９】
また、研磨粒子の粒径は特に限定されないが、例えば、０．３〜５０μｍ、さらに、１〜５０μｍ、さらに、１〜１０μｍ、さらに、３〜５μｍ、さらに、１〜２μｍの範囲が挙げられる。
【００３０】
また、研磨粒子を固着する接着剤は、酢酸ビニル、アクリル、ウレタン、スチレン、エチレンなどの柔軟な合成樹脂である。
【００３１】
また、本発明において、「研磨粒子を含むバッファ層」とは、例えば、「研磨粒子のみで構成されたバッファ層」、「繊維もしくは樹脂を有し、研磨粒子が繊維もしくは樹脂に含浸したバッファ層」、「繊維もしくは樹脂を有し、少なくとも繊維もしくは樹脂の表面に研磨粒子が固着したバッファ層」である。
【００３２】
また、ここで言う「繊維」とは、例えばシルク繊維、ポリエステル繊維、不織布が挙げられ、「樹脂」とは、例えばポリエステル樹脂が挙げられる。
【００３３】
また、バッファ層が研磨粒子を含んでいれば、バッファ層の態様はどのようなものでもよい。
例えば、「研磨粒子を含んだ樹脂組成物が含浸したシルク繊維を有するシルク繊維層」、「研磨粒子が混ぜられた、シルク繊維以外の繊維を有する繊維層」、「研磨粒子を含んだ樹脂組成物が含浸した、シルク繊維以外の繊維を有する繊維層」、「研磨粒子が少なくとも表面に固着したポリエステル樹脂を有するポリエステル樹脂層」、「研磨粒子が少なくとも表面に固着した、ポリエステル以外の樹脂を有する樹脂層」をバッファ層とすることができる。
【００３４】
さらに、本体１Ａは、バッファ層３の、基体２に面した側とは反対側に印刷して形成された印刷層４を有する。
【００３５】
ここで、本体１Ａは、第１のバッファ層３Ａの、基体２に面した側とは反対側に、０．８〜２０ｍｍ２／ｓの動粘度を有するインクを用いて、０．００５〜１ｍｍのノズル直径を有するインクジェットプリンタで印刷して形成された第１の印刷層４Ａを有する。
【００３６】
また、本体１Ａは、第２のバッファ層３Ｂの、基体２に面した側とは反対側に、０．８〜２０ｍｍ２／ｓの動粘度を有するインクを用いて、０．００５〜１ｍｍのノズル直径を有するインクジェットプリンタで印刷して形成された第２の印刷層４Ｂを有する。
【００３７】
また、第１の印刷層４Ａの印刷された絵柄は、図１に示すような複数のラインである。なお、図には示していないが、このラインの色はマリンブルーであり、海を連想させる絵柄である。
また、第２の印刷層４Ｂの印刷された絵柄は、図２に示すような猫である。
【００３８】
また、第１のシール部材５は、第１の台体５Ａと、第１の台体５Ａに着脱可能に取付けられた第１のシール体５Ｂとを有する。
また、第２のシール部材６は、第２の台体６Ａと、第２の台体６Ａに着脱可能に取付けられた第２のシール体６Ｂとを有する。
【００３９】
また、第１のシール部材５および第２のシール部材６はそれぞれ、第１の印刷層４Ａおよび第２の印刷層４Ｂに着脱可能に取付けられる。すなわち、第１のシール部材５および第２のシール部材６はそれぞれ、第１の印刷層４Ａおよび第２の印刷層４Ｂに乗せられる。
【００４０】
また、第１の台体５Ａおよび第２の台体６Ａは、光透過性を有する。すなわち、第１の台体５Ａおよび第２の台体６Ａは透明である。
また、第１の台体５Ａおよび第２の台体６Ａの長手方向の長さは、本体１Ａの長手方向の長さと略同じである。
【００４１】
また、第１のシール体５Ｂの形状は、碇、浮き輪、ヨットといった海に関連する形状である。すなわち、第１のシール体５Ｂの形状は、マリンブルーのラインの絵柄である第１の印刷層４Ａの印刷された絵柄と関連する形状である。
【００４２】
また、第１のシール体５Ｂは、マリンブルーのライン以外の領域に対応する位置にある。
従って、図１（ｂ）に示すように、長手方向において対向する第１の台体５Ａの縁と、長手方向において対向する本体１Ａの縁とが接するように、第１のシール部材５を第１の印刷層４Ａに乗せても、ラインが第１のシール体５Ｂで隠されることはない。
【００４３】
また、第２のシール体６Ｂの形状は、ネズミ、猫、猫の足跡といった猫に関連する形状である。すなわち、第２のシール体６Ｂの形状は、猫の絵柄である第２の印刷層４Ｂの印刷された絵柄と関連する形状である。
【００４４】
また、第２のシール体６Ｂは、猫の絵柄以外の領域に対応する位置にある。
従って、図２（ｂ）に示すように、長手方向において対向する第２の台体６Ａの縁と、長手方向において対向する本体１Ａの縁とが接するように、第２のシール部材６を第２の印刷層４Ｂに乗せても、第２の印刷層４Ｂの猫の絵柄が第２のシール体６Ｂで隠されることはない。
【００４５】
また、本発明の爪の手入れ器具１を爪の手入れに使用する場合は、適宜、第１のシール部材５および第２のシール部材６をそれぞれ、第１の印刷層４Ａおよび第２の印刷層４Ｂから外す。
【００４６】
ここで、基体の両方の側に印刷層が形成された例を説明したが、必ずしも基体の両方の側に印刷層が形成されていなくてもよく、一方の側だけに印刷層が形成されていてもよいことは勿論である。
【００４７】
また、本発明の爪の手入れ器具が、基体と、基体の少なくとも一方の側に形成されると共に、研磨粒子を含むバッファ層と、台体、および台体に着脱可能に取付けられたシール体を有するシール部材とを備えるのであれば、必ずしも印刷層は形成されていなくてもよい。
【００４８】
また、本発明の爪の手入れ器具が、基体と、基体の少なくとも一方の側に形成されると共に、研磨粒子を含むバッファ層と、台体、および台体に着脱可能に取付けられたシール体を有するシール部材とを備えるのであれば、必ずしも基体の一方の側には、２０〜８０μｍの粒径を有する第１の研磨粒子を含む第１のバッファ層が形成されていなくてもよく、基体の他方の側には、１〜１０μｍの粒径を有する第２の研磨粒子を含む第２のバッファ層が形成されていなくてもよい。
【００４９】
しかし、基体の一方の側に、２０〜８０μｍの粒径を有する第１の研磨粒子を含む第１のバッファ層が形成され、基体の他方の側に、１〜１０μｍの粒径を有する第２の研磨粒子を含む第２のバッファ層が形成されていれば、第１のバッファ層を用いて爪を削り、第２のバッファ層を用いて爪を磨くことができるので、多様な爪の手入れを実施でき、好ましい。
【００５０】
また、本発明の爪の手入れ器具が、基体と、基体の少なくとも一方の側に形成されると共に、研磨粒子を含むバッファ層と、台体、および台体に着脱可能に取付けられたシール体を有するシール部材とを備えるのであれば、必ずしもバッファ層は、基体に直接固着されていなくてもよい。
例えば、基体にポリエステル樹脂層など他の層を固着し、このポリエステル樹脂層にバッファ層を固着させてもよい。
【００５１】
また、印刷層の印刷された絵柄について説明したが、文字が印刷されていてもよいことは勿論である。
また、様々な絵柄もしくは文字を印刷できることは勿論である。
また、シール部材は様々な形状のシール体を有することができることも勿論である。
【００５２】
以上のように、本発明の爪の手入れ器具は、光透過性の台体、および台体に着脱可能に取付けられたシール体を有するシール部材によって、所有者は、シール部材を印刷層と重ね、光透過性の台体を通して印刷層の印刷された絵柄もしくは文字を見ることができるので、印刷層の印刷された絵柄もしくは文字と、シール体とを同時に見て楽しむことができる。
【００５３】
また、所有者は、シール体を台体から外して、印刷層に貼り付けたり、爪に貼り付けたり、自由に遊ぶこともできる。
【００５４】
従って、本発明の爪の手入れ器具は、爪の手入れ以外の時でも所有者に利用機会を与えることができる。
【符号の説明】
【００５５】
１    爪の手入れ器具
１Ａ  本体
２    基体
３    バッファ層
３Ａ  第１のバッファ層
３Ｂ  第２のバッファ層
４    印刷層
４Ａ  第１の印刷層
４Ｂ  第２の印刷層
５    第１のシール部材
５Ａ  第１の台体
５Ｂ  第１のシール体
６    第２のシール部材
６Ａ  第２の台体
６Ｂ  第２のシール体
【図１】
2014144184.tif 000003
【図２】
2014144184.tif 000004
【図３】
2014144184.tif 000005
【図４】
2014144184.tif 000006